(57)【要約】【課題】持ち運びできる暗証番号式の施錠機構は開錠時に表示部の文字を他人に見られると、その他人も開錠することができ、その後は施錠することができなくなってしまう。【解決手段】施錠機構はロックリングとロックリングの外周に嵌合するロゴリングとからなるダイヤルを備え、ロックリングに対してロゴリングを周方向に相対回転させて嵌合部の位置を決めることで開錠表示（暗証文字）が確定し、その位置決めを自由に選択することで開錠表示を変更する。 【選択図】図１
2019142523.tif 000002
【特許請求の範囲】
【請求項１】
ボトルの口を保護して施錠するキャップ・ロックであって、
キャップ・ロックはケースとカバーとボビンとキャップと少なくとも一つ以上のダイヤルとトリガとを備え、
前記ケースは中空部を有する筒状に形成されるとともに前記中空部に第１仕切りと第２仕切りと係止部とを備え、
前記第１仕切りは第２トリガ軸穴を備え、
前記カバーは第１トリガ軸穴と前記係止部へ勘合する勘合部とを備え、
前記ボビンは胴体と第１鍔と第２鍔とを備え、
前記第１鍔はフックを備えるとともに前記第１仕切りと前記第２仕切りの間に配置され、
前記第２鍔は前記第２鍔に固定される前記キャップ有し、
前記ダイヤルは第３トリガ軸穴を備え、
前記トリガは下方に先端部を備え
前記第１トリガ軸穴は前記第２トリガ軸穴に対して相対回転可能であるとともに前記第３トリガ軸穴は前記第２トリガ軸穴に対して相対回転可能に形成され、
前記第１トリガ軸穴と前記第２トリガ軸穴と前記第３トリガ軸穴とが平面視で同一位置あるときに前記トリガが前記ケースに対して挿入または取り出し可能であるとともに、
前記先端部は第１の位置で前記ダイヤルを回転可能にし、
前記先端部は第２の位置で前記ケースの回転に応じて前記キャップを回転可能にすることを特徴とする。
【発明の詳細な説明】
【技術分野】
【０００１】
本発明は、ワイン、日本酒、ウイスキーなどのビン類およびペットボトルなどのキャップ開封後のキャップの施錠に関する。
【背景技術】
【０００２】
学生寮や社員寮などにおいて共同で使用している冷蔵庫に、開封後のボトルなどを保存する場合は、所有者を明確にするために各自がボトルに名前を書くなどしていた。
【０００３】
また、家庭などにおいて、幼児に与えられない飲料が入ったボトルを幼児が誤って開けてしまうことがあった。
【０００４】
また、飲食店などにおいて、ボトル飲料を購入してボトルキープをした後、その飲食店を再度利用した際に、保管したボトルの残容量や品質に安心できない状況が発生してしまうことがあった。
【先行技術文献】
【特許文献】
【０００５】
【特許文献１】特開２０００−２３８８３１号公報
【発明の概要】
【発明が解決しようとする課題】
【０００６】
従来はボトルキャップ開封後のキャップを施錠するものがなかった。
また持ち運びできる暗証番号式の施錠機構を利用する場合は、解除時に表示部の文字を他人に見られると、その他人も解除することができ、その後は施錠することができなくなってしまうという問題があった。
本発明は炭酸飲料やカフェイン飲料またはアルコール類などの幼児に適さない飲料水が入ったボトルを、幼児が誤って開封することや飲んでしまうことを防止するためのボトルキャップの施錠品の提供を目的とする。
【課題を解決するための手段】
【０００７】
キャップ・ロックはケースと、カバーと、ボビンと、キャップと、ダイヤルと、トリガを備える。
ケースは筒状に形成され中空部を備え、中空部は第１仕切りと第２仕切りと係止部を備える。
第１仕切りは第２トリガ軸穴を備える。
カバーは第１トリガ軸穴と勘合部を備え、勘合部は係止部へ勘合する。
ボビンは胴体と第１鍔と第２鍔を備え、第１鍔は第１仕切りと第２仕切りの間に配置される。
第１鍔はフックを備える。
ダイヤルは表示部とロック部を備え、ロック部は第３トリガ軸穴を備える。
第１トリガ軸穴と第２トリガ軸穴と第３トリガ軸穴が上下方向で同一位置を形成する。
トリガ挿入時において、トリガが第１の位置においてダイヤルを回動可能に形成される。
トリガの先端部が第１の位置から第２の位置に移動可能に形成される。
【発明の効果】
【０００８】
解除するための表示部を自由に変えることで、他人に解除表示が知られても別の表示に変更することができる。
第１トリガ軸穴と第２トリガ軸穴と第３トリガ軸穴が上下方向で同一位置になることでケースからトリガの挿入及び抜き取りが可能となる。
トリガ挿入後にトリガの先端部が第１の位置にある場合に、ダイヤルを回すことで施錠状態となる。
解除時にトリガの先端部が第２の位置にある場合に、ケースを周方向へ回転させることでキャップが回動可能となる。
【図面の簡単な説明】
【０００９】
【図１】ペットボトルへのキャップ・ロック装着を示した斜視図である。
【図２】キャップ・ロックを施錠した状態の斜視図である。
【図３】ペットボトルへのキャップ・ロック装着完了状態の縦断面を示した斜視図である。
【図４】ロックリングとロゴリングの勘合位置の変更に関する部分図である。
【図５】トリガとボビンとの回転に関する差動図である。
【図６】ロックリングとトリガとの関連図である。
【図７】ケース内部の各部品の説明図である。
【図８】ケースにカバーを取り付けるための説明図である。
【発明を実施するための形態】
【実施例１】
【００１０】
ボトルキャップ・ロック（１０）はケース（２０）と、カバー（３０）と、ボビン（４０）と、３つのダイヤル（６０）と、トリガ（７０）を備える。
【００１１】
ケース（２０）は、中空部を有する円柱形状であり、中空部に上段仕切り（２１）と下段仕切り（２２）を備え、ケース（２０）の外周壁の上段仕切り（２１）の上方に第１開口部（２４）と第２開口部（２５）を形成し、ケース（２０）外周壁の上部に係止部（２３）を備える。
【００１２】
上段仕切り（２１）はドーナツ形状であり、その空洞部には切り欠き状の上段仕切り凹部（２１−１）を備えたトリガ（７０）が挿入されるトリガ軸穴B（２１−２）が形成される。
【００１３】
下段仕切り（２２）はドーナツ形状であり、その空洞部にはボビン（４０）の胴体（４０−１）が挿入される。
【００１４】
カバー（３０）はドーナツ形状であり、その空洞部には凹部（３０−１）を備えたトリガ（７０）が挿入されるトリガ軸穴A（３０−２）が形成され、カバー（３０）の内周壁にはケース（２０）外周壁の係止部（２３）に勘合する係止受け（３１）を備える。
【００１５】
ボビン（４０）は、フック（４３）を有する鍔A（４１）とキャップ（５０）が固定される鍔B（４２）とを備え、鍔A（４１）はケース（２０）の上段仕切り（２１）と下段仕切り（２２）の間に位置し、鍔B（４２）はケース（２０）の下段仕切り（２２）の下に位置するように設けられる。
【００１６】
ダイヤル（６０）は、その中心部にロック部であるロックリング（６１）と、ロックリング（６１）の外周側に表示部であるロゴリング（６２）を備え、ロックリング（６１）の外周側面の平面視である第１ギア形状（６１−３）とロゴリング（６２）の内周側面の平面視である第２ギア形状（６２−２）とが勘合する勘合部（６３）を備える。
なお、勘合部（６３）はギア形状であるが、勘合時にロックリング（６１）に対してロゴリング（６２）が周方向へ相対回転せずに軸方向へ相対移動することで、ロックリング（６１）に対してロゴリング（６２）が取り外しできる形状であればよい。
【００１７】
ロックリング（６１）は、内円が空洞であるドーナツ状であり、空洞形状（６１−３）は外周径の大きい円盤（６１−３ａ）が下段にそれより小さい円盤（６１−３ｂ）が上段に位置する２段構造であり、ロックリング（６１）の内円は平面視において切り欠き状のロックリング凹部（６１−１）を備えたトリガ軸穴C（６１−２）が形成され、外周側面はロゴリング（６２）と勘合するための第１ギア形状（６１−３）を備える。 
【００１８】
ロゴリング（６２）は、内円が空洞であるドーナツ形状であるとともに、外周側面に文字または数字の意匠面を有する解除表示である暗証文字（６２−１）を備え、内周側面はロックリング（６１）と勘合するための第２ギア形状（６２−２）を備える。
【００１９】
トリガ（７０）は、使用状態姿勢において、上下に長く板状である下部と、つまみである上部を有し、下部は幅方向に３つのスリット（７１）を形成し、下方先端に先端部（７２）備える。
【００２０】
ロック機構は、第１カバー（３０）のトリガ軸穴A（３０−２）と、ケース（２０）の上段仕切り（２１）のトリガ軸穴B（２１−２）と、ロックリング（６１）のトリガ軸穴C（６１−２）との平面視での形状が上下に重なり合ったときにトリガ（７０）をケース（２０）とカバー（３０）から挿入・取出しできる解除状態となる。
【００２１】
解除状態であるトリガ（７０）の先端部（７２）の最下端（４３−１）の位置である第１の位置からトリガ（７０）をさらに下方に差し込むと、ボビン（４０）の鍔A（４１）の上面の位置（４３−２）である第２の位置に到達し、ここでケース（２０）を周方向へ回転させるとトリガ（７０）も同時に回転し、トリガ（７０）の先端部（７２）が鍔A（４１）のフック（４３）に当たり、その後ボビン（４０）を回転させることができ、さらにケース（２０）を逆方向に回すとボビン（４０）を同じ回転方向へ回すことができる。
その結果、ボビン（４０）の回転により鍔B（４２）に固定してあるキャップ（５０）も同時に回転し、ボトルを開け閉めできる。
なお、キャップ（５０）は始めからボビン（４０）に一体形成しても良いし、後から固定させても良い。
【００２２】
解除状態となってトリガ（７０）を取り出すとカバー（３０）をケース（２０）から開成できる。
【００２３】
解除状態でケース（２０）にカバー（３０）を勘合させ、トリガ（７０）を第１の位置（４３−１）まで挿入し、ダイヤル（６０）を回すと、トリガ（７０）をケース（２０）とカバー（３０）から取り出すことができなくなり、キャップ（５０）を回すことのできない施錠状態となる。
【００２４】
解除番号変更機能は、図４のようにロックリング（６１）の外周とロゴリング（６２）の内周を勘合させる時に、ロックリング凹部（６１−１）の径方向延長上に位置するロゴリング（６２）の暗証文字（６２−１）または基準となる位置を、ロックリング（６１）とロゴリング（６２）との周方向における相対回転によって自由に選択することができる。
ロックリング（６１）とロゴリング（６２）の勘合状態から、ロックリング（６１）の外周とロゴリング（６２）の内周とを軸方向へ相対移動させることで、ロックリング（６１）からロゴリング（６２）を取り外すことができる。
【００２５】
図１はペットボトルにキャップ・ロックを装着した状態であり、ケース（２０）に対してカバー（３０）は閉成状態である。
【００２６】
図２キャップ・ロックを施錠した状態であり、ケース（２０）に対してカバー（３０）は閉成状態である。
【００２７】
図３はペットボトルにキャップ・ロックを装着した状態で、キャップ（５０）がペットボトル口（８０−１）を閉成した状態である。
【００２８】
図４はロックリング（６１）とロゴリング（６２）の勘合位置（６３）を変更する状態で、ロックリング（６１）に対してロゴリング（６２）を軸方向へ移動させて外し、周方向へ回転させて暗証文字（６２−１）を変更する。
【００２９】
図５はトリガ（７０）の先端部（７２）の上下位置により、ボビン（４０）を回転できる状態とできない状態とが関連づけられ、トリガ（７０）の先端部（７２）の最下位の位置が、ボビン（４０）のフック（４３）の上面にあるとボビン（４０）を回転できない位置（４３−１）であり、それより下のボビン（４０）の鍔A（４１）の上面の位置（４３−２）でトリガ（７０）の回転に応じて、トリガ（７０）の先端部（７２）がボビン（４０）のフック（４３）に当たることで、ボビン（４０）が回転する。
【００３０】
図６はロックリング（６１）の内径（６１−４ｂ）が、トリガ（７０）のスリット（７１）を回転する関連図である。
【００３１】
図７はケース内部の各構成部分の説明図である。
【００３２】
図８はケースにカバーを取り付けるため、カバー（３０）をケース（２０）に閉成し、トリガ（７０）が挿入可能となる説明図である。
【産業上の利用可能性】
【００３３】
本発明のキャップ・ロックはネジ状の口を有するものであればビン類およびペットボトルなどに限らす、薬品や洗浄剤などの容器などでも施錠することができる。
【００３４】
【符号の説明】
【００３５】
１０  ボトルキャップ・ロック
２０  ケース
２１  上段仕切り
２１−１  凹部
２１−２  トリガ軸穴A
２２  下段仕切り
２３  係止部
２４  第１開口部
２５  第２開口部
３０  カバー
３０−１  凹部
３０−２  トリガ軸穴A
３１  係止受け
４０  ボビン
４０−１  胴体
４１  鍔A
４２  鍔B
４３  フック
５０  キャップ
６０  ダイヤル
６１  ロックリング
６１−１  ロックリング凹部
６１−２  トリガ軸穴C
６１−３  空洞形状
６１−３ａ  大きい円盤
６１−３ｂ  小さい円盤
６２  ロゴリング
６３  勘合部
７０  トリガ
７１  スリット
７２  先端部
８０  ペットボトル
８０−１  ペットボトル口
【図１】
2019142523.tif 000003
【図２】
2019142523.tif 000004
【図３】
2019142523.tif 000005
【図４】
2019142523.tif 000006
【図５】
2019142523.tif 000007
【図６】
2019142523.tif 000008
【図７】
2019142523.tif 000009
【図８】
2019142523.tif 000010
【手続補正書】
【提出日】令和1年5月5日(2019.5.5)
【手続補正１】
【補正対象書類名】特許請求の範囲
【補正対象項目名】全文
【補正方法】変更
【補正の内容】
【特許請求の範囲】
【請求項１】
ボトルの口を保護して施錠するキャップ・ロックであって、
キャップ・ロックはケースとカバーとボビンとキャップと少なくとも一つ以上のダイヤルとトリガとを備え、
前記ケースは中空部を有する筒状に形成されるとともに前記中空部に第１仕切りと第２仕切りと係止部とを備え、
前記第１仕切りは第２トリガ軸穴を備え、
前記カバーは第１トリガ軸穴と前記係止部へ嵌合する嵌合部とを備え、
前記ボビンは胴体と第１鍔と第２鍔とを備え、
前記第１鍔はフックを備えるとともに前記第１仕切りと前記第２仕切りの間に配置され、
前記第２鍔は前記第２鍔に固定される前記キャップ有し、
前記ダイヤルは第３トリガ軸穴を備え、
前記トリガは下方に先端部を備え
前記第１トリガ軸穴は前記第２トリガ軸穴に対して相対回転可能であるとともに前記第３トリガ軸穴は前記第２トリガ軸穴に対して相対回転可能に形成され、
前記第１トリガ軸穴と前記第２トリガ軸穴と前記第３トリガ軸穴とが平面視で同一位置あるときに前記トリガが前記ケースに対して挿入または取り出し可能であるとともに、
前記先端部は第１の位置で前記ダイヤルを回転可能にし、
前記先端部は第２の位置で前記ケースの回転に応じて前記キャップを回転可能にすることを特徴とするキャップ・ロック。
【手続補正２】
【補正対象書類名】明細書
【補正対象項目名】全文
【補正方法】変更
【補正の内容】
【発明の詳細な説明】
【技術分野】
【０００１】
本発明は、ワイン、日本酒、ウイスキーなどのビン類およびペットボトルなどのキャップ開封後のキャップの施錠に関する。
【背景技術】
【０００２】
学生寮や社員寮などにおいて共同で使用している冷蔵庫に、開封後のボトルなどを保存する場合は、所有者を明確にするために各自がボトルに名前を書くなどしていた。
【０００３】
また、家庭などにおいて、幼児に与えられない飲料が入ったボトルを幼児が誤って開けてしまうことがあった。
【０００４】
また、飲食店などにおいて、ボトル飲料を購入してボトルキープをした後、その飲食店を再度利用した際に、保管したボトルの残容量や品質に安心できない状況が発生してしまうことがあった。
【先行技術文献】
【特許文献】
【０００５】
【特許文献１】特開２０００−２３８８３１号公報
【発明の概要】
【発明が解決しようとする課題】
【０００６】
従来はボトルキャップ開封後のキャップを施錠するものがなかった。
また持ち運びできる暗証番号式の施錠機構を利用する場合は、開錠時に表示部の文字を他人に見られると、その他人も開錠することができ、その後は施錠することができなくなってしまうという問題があった。
本発明は炭酸飲料やカフェイン飲料またはアルコール類などの幼児に適さない飲料水が入ったボトルを、幼児が誤って開封することや飲んでしまうことを防止するためのボトルキャップの施錠品の提供を目的とする。
【課題を解決するための手段】
【０００７】
キャップ・ロックはケースと、カバーと、ボビンと、キャップと、ダイヤルと、トリガを備える。
ケースは筒状に形成され中空部を備え、中空部は第１仕切りと第２仕切りと係止部を備える。
第１仕切りは第２トリガ軸穴を備える。
カバーは第１トリガ軸穴と嵌合部を備え、嵌合部は係止部へ嵌合する。
ボビンは胴体と第１鍔と第２鍔を備え、第１鍔は第１仕切りと第２仕切りの間に配置される。
第１鍔はフックを備える。
ダイヤルは表示部とロック部を備え、ロック部は第３トリガ軸穴を備える。
第１トリガ軸穴と第２トリガ軸穴と第３トリガ軸穴が上下方向で同一位置を形成する。
トリガ挿入時において、トリガが第１の位置においてダイヤルを回動可能に形成される。
トリガの先端部が第１の位置から第２の位置に移動可能に形成される。
【発明の効果】
【０００８】
開錠するための表示部を自由に変えることで、他人に開錠表示が知られても別の表示に変更することができる。
第１トリガ軸穴と第２トリガ軸穴と第３トリガ軸穴が上下方向で同一位置になることでケースからトリガの挿入及び抜き取りが可能となる。
トリガ挿入後にトリガの先端部が第１の位置にある場合に、ダイヤルを回すことで施錠状態となる。
開錠時にトリガの先端部が第２の位置にある場合に、ケースを周方向へ回転させることでキャップが回動可能となる。
【図面の簡単な説明】
【０００９】
【図１】ペットボトルへのキャップ・ロック装着を示した斜視図である。
【図２】キャップ・ロックを施錠した状態の斜視図である。
【図３】ペットボトルへのキャップ・ロック装着完了状態の縦断面を示した斜視図である。
【図４】ロックリングとロゴリングの嵌合位置の変更に関する部分図である。
【図５】トリガとボビンとの回転に関する差動図である。
【図６】ロックリングとトリガとの関連図である。
【図７】ケース内部の各部品の説明図である。
【図８】ケースにカバーを取り付けるための説明図である。
【発明を実施するための形態】
【実施例１】
【００１０】
ボトルキャップ・ロック（１０）はケース（２０）と、カバー（３０）と、ボビン（４０）と、３つのダイヤル（６０）と、トリガ（７０）を備える。
【００１１】
ケース（２０）は、中空部を有する円柱形状であり、中空部に上段仕切り（２１）と下段仕切り（２２）を備え、ケース（２０）の外周壁の上段仕切り（２１）の上方に第１開口部（２４）と第２開口部（２５）を形成し、ケース（２０）外周壁の上部に係止部（２３）を備える。
【００１２】
上段仕切り（２１）はドーナツ形状であり、その空洞部には切り欠き状の上段仕切り凹部（２１−１）を備えたトリガ（７０）が挿入されるトリガ軸穴B（２１−２）が形成される。
【００１３】
下段仕切り（２２）はドーナツ形状であり、その空洞部にはボビン（４０）の胴体（４０−１）が挿入される。
【００１４】
カバー（３０）はドーナツ形状であり、その空洞部には凹部（３０−１）を備えたトリガ（７０）が挿入されるトリガ軸穴A（３０−２）が形成され、カバー（３０）の内周壁にはケース（２０）外周壁の係止部（２３）に嵌合する係止受け（３１）を備える。
【００１５】
ボビン（４０）は、フック（４３）を有する鍔A（４１）とキャップ（５０）が固定される鍔B（４２）とを備え、鍔A（４１）はケース（２０）の上段仕切り（２１）と下段仕切り（２２）の間に位置し、鍔B（４２）はケース（２０）の下段仕切り（２２）の下に位置するように設けられる。
【００１６】
ダイヤル（６０）は、その中心部にロック部であるロックリング（６１）と、ロックリング（６１）の外周側に表示部であるロゴリング（６２）を備え、ロックリング（６１）の外周側面の平面視である第１ギア形状（６１−３）とロゴリング（６２）の内周側面の平面視である第２ギア形状（６２−２）とが嵌合する嵌合部（６３）を備える。
なお、嵌合部（６３）はギア形状であるが、嵌合時にロックリング（６１）に対してロゴリング（６２）が周方向へ相対回転せずに軸方向へ相対移動することで、ロックリング（６１）に対してロゴリング（６２）が取り外しできる形状であればよい。
【００１７】
ロックリング（６１）は、内円が空洞であるドーナツ形状であり、空洞形状（６１−３）は外周径の大きい円盤（６１−３ａ）が下段にそれより小さい円盤（６１−３ｂ）が上段に位置する２段構造であり、ロックリング（６１）の内円は平面視において切り欠き状のロックリング凹部（６１−１）を備えたトリガ軸穴C（６１−２）が形成され、外周側面はロゴリング（６２）と嵌合するための第１ギア形状（６１−３）を備える。 
【００１８】
ロゴリング（６２）は、内円が空洞であるドーナツ形状であるとともに、外周側面に文字または数字の意匠面を有する開錠表示である暗証文字（６２−１）を備え、内周側面はロックリング（６１）と嵌合するための第２ギア形状（６２−２）を備える。
【００１９】
トリガ（７０）は、使用状態姿勢において、上下に長い下部と、つまみである上部を有し、下部に３つのスリット（７１）を形成し、下方先端に先端部（７２）備える。
【００２０】
ロック機構は、第１カバー（３０）のトリガ軸穴A（３０−２）と、ケース（２０）の上段仕切り（２１）のトリガ軸穴B（２１−２）と、ロックリング（６１）のトリガ軸穴C（６１−２）との平面視での形状が上下に重なり合ったときにトリガ（７０）をケース（２０）とカバー（３０）から挿入・取出しできる開錠状態となる。
【００２１】
開錠状態であるトリガ（７０）の先端部（７２）の最下端（４３−１）の位置である第１の位置からトリガ（７０）をさらに下方に差し込むと、ボビン（４０）の鍔A（４１）の上面の位置（４３−２）である第２の位置に到達し、ここでケース（２０）を周方向へ回転させるとトリガ（７０）も同時に回転し、トリガ（７０）の先端部（７２）が鍔A（４１）のフック（４３）に当たり、その後ボビン（４０）を回転させることができ、さらにケース（２０）を逆方向に回すとボビン（４０）を同じ回転方向へ回すことができる。
その結果、ボビン（４０）の回転により鍔B（４２）に固定してあるキャップ（５０）も同時に回転し、ボトルを開け閉めできる。
なお、キャップ（５０）は始めからボビン（４０）に一体形成しても良いし、後から固定させても良い。
【００２２】
開錠状態となってトリガ（７０）を取り出すとカバー（３０）をケース（２０）から開成できる。
【００２３】
開錠状態でケース（２０）にカバー（３０）を嵌合させ、トリガ（７０）を第１の位置（４３−１）まで挿入し、ダイヤル（６０）を回すと、トリガ（７０）をケース（２０）とカバー（３０）から取り出すことができなくなり、キャップ（５０）を回すことのできない施錠状態となる。
【００２４】
開錠番号変更機能は、図４のようにロックリング（６１）の外周とロゴリング（６２）の内周を嵌合させる時に、ロックリング凹部（６１−１）の径方向延長上に位置するロゴリング（６２）の暗証文字（６２−１）または基準となる位置を、ロックリング（６１）とロゴリング（６２）との周方向における相対回転によって自由に選択することができる。
ロックリング（６１）とロゴリング（６２）の嵌合状態から、ロックリング（６１）の外周とロゴリング（６２）の内周とを軸方向へ相対移動させることで、ロックリング（６１）からロゴリング（６２）を取り外すことができる。
【００２５】
図１はペットボトルにキャップ・ロックを装着した状態であり、ケース（２０）に対してカバー（３０）は閉成状態である。
【００２６】
図２キャップ・ロックを施錠した状態であり、ケース（２０）に対してカバー（３０）は閉成状態である。
【００２７】
図３はペットボトルにキャップ・ロックを装着した状態で、キャップ（５０）がペットボトル口（８０−１）を閉成した状態である。
【００２８】
図４はロックリング（６１）とロゴリング（６２）の嵌合位置（６３）を変更する状態で、ロックリング（６１）に対してロゴリング（６２）を軸方向へ移動させて外し、周方向へ回転させて暗証文字（６２−１）を変更させる関連図である。
【００２９】
図５はトリガ（７０）の先端部（７２）の上下位置により、ボビン（４０）を回転できる状態とできない状態とが関連づけられ、トリガ（７０）の先端部（７２）の最下位の位置が、ボビン（４０）のフック（４３）の上面にあるとボビン（４０）を回転できない位置（４３−１）であり、それより下のボビン（４０）の鍔A（４１）の上面の位置（４３−２）でトリガ（７０）の回転に応じて、トリガ（７０）の先端部（７２）がボビン（４０）のフック（４３）に当たることで、ボビン（４０）が回転する。
【００３０】
図６はロックリング（６１）の内径（６１−４ｂ）が、トリガ（７０）のスリット（７１）を回転する関連図である。
【００３１】
図７はケース内部の各構成部分の説明図である。
【００３２】
図８はケースにカバーを取り付けるため、カバー（３０）をケース（２０）に閉成し、トリガ（７０）が挿入可能となる説明図である。
【産業上の利用可能性】
【００３３】
本発明のキャップ・ロックはネジ状の口を有するものであればビン類およびペットボトルなどに限らす、薬品や洗浄剤などの容器などでも施錠することができる。
【００３４】
【符号の説明】
【００３５】
１０  ボトルキャップ・ロック
２０  ケース
２１  上段仕切り
２１−１  凹部
２１−２  トリガ軸穴A
２２  下段仕切り
２３  係止部
２４  第１開口部
２５  第２開口部
３０  カバー
３０−１  凹部
３０−２  トリガ軸穴A
３１  係止受け
４０  ボビン
４０−１  胴体
４１  鍔A
４２  鍔B
４３  フック
５０  キャップ
６０  ダイヤル
６１  ロックリング
６１−１  ロックリング凹部
６１−２  トリガ軸穴C
６１−３  空洞形状
６１−３ａ  大きい円盤
６１−３ｂ  小さい円盤
６２  ロゴリング
６３  嵌合部
７０  トリガ
７１  スリット
７２  先端部
８０  ペットボトル
８０−１  ペットボトル口